(57)【要約】【課題】この発明は、取付ビスを不要として、構造の簡素化を図り、低コスト化を図るとともに、ドライバーによる締着作業が不要として、取付作業性を向上できるエレベータの手摺装置を得る。【解決手段】固定金１９は、固定金挿通用開口２５に平面的に重ね合わせて相対回転させたときに、その全領域が固定金挿通用開口２５内に位置する第１の状態と、複数の領域が固定金挿通用開口２５外に位置し、かつ残る領域が固定金挿通用開口２５内に位置する第２の状態とをとる外形形状に形成され、取付座１３は、固定金挿通用開口２５に平面的に重ね合わせたときに、固定金挿通用開口２５を覆い隠す外形形状に形成されている。ブラケット１１は、側壁３の表面側に配された取付座１３と側壁３の背面側に第２の状態に配された固定金１９との間に側壁３を挟持させた状態で、雄ねじ部２１と雌ねじ部１５とを緊締して、側壁３に取り付けられる。【選択図】図２
2013010597.tif 000002
【特許請求の範囲】
【請求項１】
かご室の側壁に所定距離離間して形成された一対の固定金挿通用開口を利用して該側壁に取り付けられる一対のブラケットと、上記一対のブラケット間に架設される手摺パイプと、を備えたエレベータの手摺装置において、
上記ブラケットは、固定金と、取付座および該取付座の表面に一体に形成され、上記手摺パイプを支持する支持腕を有するブラケット本体と、上記固定金の表面および上記取付座の裏面の一方に立設された雄ねじ部と、上記固定金および上記取付座の他方に形成された雌ねじ部と、を備え、
上記固定金は、上記固定金挿通用開口に平面的に重ね合わせて相対回転させたときに、その全領域が該固定金挿通用開口内に位置する第１の状態と、複数の領域が該固定金挿通用開口外に位置し、かつ残る領域が該固定金挿通用開口内に位置する第２の状態とをとる外形形状に形成され、
上記取付座は、上記固定金挿通用開口に平面的に重ね合わせたときに、上記固定金挿通用開口を覆い隠す外形形状に形成され、
上記ブラケットは、上記側壁の表面側に配された上記取付座と上記側壁の背面側に上記第２の状態に配された上記固定金との間に上記側壁を挟持させた状態で、上記雄ねじ部と上記雌ねじ部とを緊締して、上記側壁に取り付けられることを特徴とするエレベータの手摺装置。
【請求項２】
位置決め用突起が、上記固定金の上記複数の領域の表面に突設され、
位置決め用開口が、上記第２の状態に配された上記固定金の上記位置決め用突起が嵌入可能に上記壁面に形成されていることを特徴とする請求項１記載のエレベータの手摺装置。
【請求項３】
上記雄ねじ部の軸方向と直交する方向に上記支持腕を貫通するように形成され、上記手摺パイプの端部が挿入される手摺パイプ取付穴と、
上記手摺パイプ取付穴に挿入された上記手摺パイプの端部を上記支持腕に固定する固定手段と、をさらに備え、
上記手摺パイプが、両端を上記手摺パイプ穴に挿入されて上記固定手段により上記支持腕に固定され、上記一対のブラケット間に架設されていることを特徴とする請求項１又は請求項２記載のエレベータの手摺装置。
【請求項４】
上記固定手段は、
上記手摺パイプ取付穴に開口して、該手摺パイプ取付穴の穴方向に上記支持腕を貫通するように形成されたガイド穴と、
上記手摺パイプ取付穴に開口して、上記ガイド穴から該手摺パイプ取付穴の周方向に所定角度範囲に渡って延設された係止溝と、
上記手摺パイプの両端部の周壁から径方向外方に突設され、該手摺パイプの上記手摺パイプ取付穴への挿入時には上記ガイド穴内を通って該手摺パイプの移動を案内し、該手摺パイプの軸周りの回動動作により該ガイド穴から上記係止溝内に圧入されて、該係止溝に固着される係止ピンと、を備えていることを特徴とする請求項３記載のエレベータの手摺装置。
【請求項５】
上記固定手段は、
上記手摺パイプ取付穴と外部とを連通するように、該手摺パイプ取付穴の径方向に上記支持腕を貫通するように形成された係止穴と、
上記手摺パイプの両端部に径方向に出没可能に配設された係止ピンと、
上記手摺パイプに配設されて上記係止ピンを延出方向に付勢するバネ部材と、を備えていることを特徴とする請求項３記載のエレベータの手摺装置。
【発明の詳細な説明】
【技術分野】
【０００１】
この発明は、エレベータのかご室の内壁面に設置される手摺装置に関し、特に手摺本体を壁面に取り付けるためのブラケット構造に関するものである。
【背景技術】
【０００２】
従来の手摺用ブラケットは、内部中空で弧状に屈曲するブラケット本体の弧状屈曲部分の外径側に開口を設け、この開口をカバーで閉鎖するようにし、ブラケット本体の一方の端部に壁面への取付座と他端に手摺嵌合部を設け、取付座にはブラケット本体の弧状屈曲部分の外径側となる外側寄りの位置に、建物の柱に向けてねじ込む取付ビスの誘導孔を、この取付座の内面側からブラケット本体の弧状屈曲部分の外径側に向けて傾斜するように設けて構成されている（例えば、特許文献１参照）。
【先行技術文献】
【特許文献】
【０００３】
【特許文献１】特開２００６−７０６１１号公報
【発明の概要】
【発明が解決しようとする課題】
【０００４】
従来の手摺用ブラケットは、取付ビスを用いて壁面に取り付けられるので、取付ビスが見えることによる意匠性の低下を抑え、さらにいたずらによるビス外しを防止するためにカバーが必要となり、構造が複雑となり、低コスト化が図れないという課題があった。さらに、ドライバーによる取付ビスの締着作業がブラケット本体の内部での作業となるので、作業スペースが狭く、取付作業性が低下するという課題もあった。
【０００５】
本発明は、このような課題を解決するためになされたものであり、かご室の側壁にあけられた固定金挿通用開口を挿通する雄ねじ部の軸周りのブラケット本体の回転により側壁に緊締されるようにし、取付ビスを不要として、構造の簡素化を図り、低コスト化を図るとともに、ドライバーによる締着作業を不要として、取付作業性を向上できるエレベータの手摺装置を得ることを目的とする。
【課題を解決するための手段】
【０００６】
本発明に係るエレベータの手摺装置は、かご室の側壁に所定距離離間して形成された一対の固定金挿通用開口を利用して該側壁に取り付けられる一対のブラケットと、上記一対のブラケット間に架設される手摺パイプと、を備え、上記ブラケットは、固定金と、取付座および該取付座の表面に一体に形成され、上記手摺パイプを支持する支持腕を有するブラケット本体と、上記固定金の表面および上記取付座の裏面の一方に立設された雄ねじ部と、上記固定金および上記取付座の他方に形成された雌ねじ部と、を備えている。上記固定金は、上記固定金挿通用開口に平面的に重ね合わせて相対回転させたときに、その全領域が該固定金挿通用開口内に位置する第１の状態と、複数の領域が該固定金挿通用開口外に位置し、かつ残る領域が該固定金挿通用開口内に位置する第２の状態とをとる外形形状に形成され、上記取付座は、上記固定金挿通用開口に平面的に重ね合わせたときに、上記固定金挿通用開口を覆い隠す外形形状に形成されている。上記ブラケットは、上記側壁の表面側に配された上記取付座と上記側壁の背面側に上記第２の状態に配された上記固定金との間に上記側壁を挟持させた状態で、上記雄ねじ部と上記雌ねじ部とを緊締して、上記側壁に取り付けられる。
【発明の効果】
【０００７】
本発明によれば、ブラケットは、側壁の表面側に配された取付座と側壁の背面側に第２の状態に配された固定金との間に側壁を挟持させた状態で、雄ねじ部と雌ねじ部とを緊締して、側壁に取り付けられるので、ブラケットを側壁に締着固定する取付ビスが不要となる。そこで、取付ビスを隠すためのカバーが不要となり、手摺装置の構造を簡素化でき、低コスト化を図ることができる。さらに、ドライバーによる締着作業が不要となり、取付作業性を向上させることができる。
【図面の簡単な説明】
【０００８】
【図１】この発明の実施の形態１に係るエレベータのかご室を出入り口側から見た図である。
【図２】図１のＩＩ−ＩＩ矢視断面図である。
【図３】この発明の実施の形態１に係るエレベータの手摺装置におけるブラケットを示す分解斜視図である。
【図４】この発明の実施の形態１に係るエレベータの手摺装置のブラケットを構成するブラケット本体の構成を説明する図である。
【図５】この発明の実施の形態１に係るエレベータの手摺装置のブラケットを構成する固定金の構成を説明する図である。
【図６】この発明の実施の形態１に係るエレベータの手摺装置の手摺パイプを示す要部斜視図である。
【図７】この発明の実施の形態１に係るエレベータのかご室の壁面に形成された取付用開口を示す正面図である。
【図８】この発明の実施の形態１に係るエレベータのかご室の壁面へのブラケットの取付方法を示す工程断面図である。
【図９】この発明の実施の形態１に係るエレベータのかご室の壁面に取り付けられたブラケットへの手摺パイプの取付方法を示す工程斜視図である。
【図１０】この発明の実施の形態２に係るエレベータの手摺装置における固定金と固定金挿通用開口との関係を説明する平面図である。
【図１１】この発明の実施の形態３に係るエレベータの手摺装置における固定金と固定金挿通用開口との関係を説明する平面図である。
【図１２】この発明の実施の形態４に係るエレベータのかご室の壁面に取り付けられたブラケットへの手摺パイプの取付方法を示す工程斜視図である。
【発明を実施するための形態】
【０００９】
以下、本発明のエレベータの手摺装置の好適な実施の形態について図面を用いて説明する。
【００１０】
実施の形態１．
図１はこの発明の実施の形態１に係るエレベータのかご室を出入り口側から見た図、図２は図１のＩＩ−ＩＩ矢視断面図、図３はこの発明の実施の形態１に係るエレベータの手摺装置におけるブラケットを示す分解斜視図である。図４はこの発明の実施の形態１に係るエレベータの手摺装置のブラケットを構成するブラケット本体の構成を説明する図であり、図４の（ａ）は正面図、図４の（ｂ）は側面図、図４の（ｃ）は底面図である。図５はこの発明の実施の形態１に係るエレベータの手摺装置のブラケットを構成する固定金の構成を説明する図であり、図５の（ａ）は側面図、図５の（ｂ）は上面図である。図６はこの発明の実施の形態１に係るエレベータの手摺装置の手摺パイプを示す要部斜視図、図７はこの発明の実施の形態１に係るエレベータのかご室の壁面に形成された取付用開口を示す正面図、図８はこの発明の実施の形態１に係るエレベータのかご室の壁面へのブラケットの取付方法を示す工程断面図、図９はこの発明の実施の形態１に係るエレベータのかご室の壁面に取り付けられたブラケットへの手摺パイプの取付方法を示す工程斜視図である。
【００１１】
図１において、エレベータのかご室１は、かご床２、一面を意匠面とする鋼板で作製され、意匠面を内側に向けてかご床２上に立設され、かご室１を昇降路（図示せず）に対して隔離する側壁３、側壁３の上部を塞口する天井４、乗り場との間で利用者の乗降を行う出入り口の戸（図示せず）、などを備え、かご枠（図示せず）に支持されて昇降路内を昇降可能に配設されている。そして、手摺装置１０が、かご室１の側壁３に取り付けられている。手摺装置１０は、側壁３に水平方向に所定距離離反して取り付けられる一対のブラケット１１と、一対のブラケット１１間に架設される手摺本体としての所定長さの手摺パイプ２２と、を備えている。
【００１２】
つぎに、手摺装置１０の構造について図２乃至図６を参照しつつ説明する。
ブラケット１１は、図２および図３に示されるように、ブラケット本体１２と、固定金１９と、固定金１９の表面の中心位置に立設された雄ねじ部２１と、ブラケット本体１２に形成され、雄ねじ部２１が螺着される雌ねじ部１５と、を備えている。
【００１３】
ブラケット本体１２は、図４に示されるように、平面形状を正方形とする所定厚みを有する取付座１３と、取付座１３の表面の中心位置に一体に形成された支持腕１４と、軸方向を取付座１３の背面と直交する方向として、取付座１３の背面の中心位置に開口するように形成された雌ねじ部１５と、穴方向を雌ねじ部１５の軸方向と直交する方向として、支持腕１４を貫通するように形成された手摺本体取付穴としての手摺パイプ取付穴１６と、穴方向を手摺パイプ取付穴１６の穴方向と平行として、手摺パイプ取付穴１６に開口し、かつ支持腕１４を貫通するように形成されたガイド穴１７と、穴方向を手摺パイプ取付穴１６の周方向として、手摺パイプ取付穴１６に開口し、かつガイド穴１７から所定の角度範囲にわたって形成された係止溝１８と、を備えている。
【００１４】
固定金１９は、図５に示されるように、平面形状を正方形とする所定厚み有する平板状に作製されている。固定金１９は、その中心を取付座１３の中心に一致させて、その中心周りに回転させたときに、取付座１３の平面内で回転する大きさに形成されている。さらに、位置決め用突起としての突起２０が、固定金１９の表面の四隅のそれぞれに、平面形状を直角二等辺三角形として所定の高さに突設され、雄ねじ部２１が固定金１９の表面の中心位置に立設されている。
【００１５】
手摺パイプ２２は、図６に示されるように、手摺パイプ取付穴１６の内径より僅かに小さい外径を有し、係止ピン２３が手摺パイプ２２の両端側から径方向外方に突設されている。ここで、ガイド穴１７の穴幅は、係止ピン２３の外径より広く、係止溝１８の溝幅は、ガイド穴１７に開口する一端から他端に向って漸次狭くなる先細り状に形成されている。そして、係止溝１８の一端の溝幅は係止ピン２３の外径より広く、他端の溝幅は係止ピン２３の外径より狭くなっている。また、係止ピン２３の長さは、ガイド穴１７の穴深さおよび係止溝１８の溝深さより短くなっている。そして、ガイド穴１７、係止溝１８および係止ピン２３が固定手段を構成する。
【００１６】
つぎに、手摺装置１０の側壁３への取付方法について図７乃至図９を参照しつつ説明する。
【００１７】
まず、側壁３には、図７に示されるように、穴形状を正方形とする固定金挿通用開口２４が形成され、位置決め用開口２５が固定金挿通用開口２４の各辺の中央外方に形成されている。固定金挿通用開口２４は、固定金１９より僅かに大形に、かつ取付座１３より小形に形成されている。また、位置決め用開口２５は、固定金１９の表面に突設された突起２０が嵌入される位置関係および穴形状に形成されている。固定金挿通用開口２４および位置決め用開口２５は、水平方向に離間して、側壁３のブラケット１１の取付位置に形成されている。
【００１８】
ここで、固定金挿通用開口２４と位置決め用開口２５の穴形状について、取付座１３、固定金１９、および突起２０の外形形状に関連して説明する。
取付座１３は、固定金挿通用開口２４および位置決め用開口２５に平面的に重ねたときに、固定金挿通用開口２４および位置決め用開口２５を覆い隠す外形形状に形成されている。
【００１９】
固定金１９は、固定金挿通用開口２４に平面的に重ね合わせて相対回転させたときに、その全領域が固定金挿通用開口２４内に位置する第１の状態と、固定金１９の四隅の領域が固定金挿通用開口２４外に位置し、かつ固定金１９の残る領域が固定金挿通用開口２４内に位置する第２の状態と、をとる外形形状に形成されている。ここでは、固定金１９を固定金挿通用開口２４に挿入する状態が第１の状態であり、固定金１９を固定金挿通用開口２４に挿入後、雄ねじ部２１の軸周りに９０°回転させた状態が第２の状態となる。そして、突起２０が、第２の状態に配された固定金１９の表面の四隅の、固定金挿通用開口２４の外側に位置する領域に突設されている。
また、位置決め用開口２５は、第２の状態に配された固定金１９の表面の四隅に突設された突起２０に相対する位置関係で、突起２０が嵌入される穴形状に形成されている。
【００２０】
ついで、雄ねじ部２１を雌ねじ部１５に螺着し、固定金１９をブラケット本体１２に装着する。そして、取付座１３と固定金１９との間の間隔を広くし、図８の（ａ）に示されるように、かご室内から固定金１９を一方の固定金挿通用開口２４に挿通する。
ついで、図８の（ｂ）に示されるように、固定金１９をブラケット本体１２とともに雄ねじ部２１の軸周りに９０°回転させ、突起２０を位置決め用開口２５のそれぞれに相対するようにする。そして、ブラケット本体１２をかご室内に引き寄せる。これにより、図８の（ｃ）に示されるように、突起２０が位置決め用開口２５のそれぞれに嵌め込まれる。
【００２１】
ついで、ブラケット本体１２を雄ねじ部２１の軸周りに回転する。このとき、突起２０が位置決め用開口２５のそれぞれに嵌め込まれており、固定金１９はブラケット本体１２と共回りしないので、取付座１３と固定金１９との間の距離が徐々に狭くなる。そして、図８の（ｄ）に示されるように、側壁３が取付座１３と固定金１９とに挟持された状態で、雄ねじ部２１と雌ねじ部１５とを緊締し、一方のブラケット１１が側壁３に取り付けられる。
【００２２】
ついで、図９の（ａ）に示されるように、係止ピン２３をガイド穴１７に合わせ、係止ピン２３をガイド穴１７内に通しつつ、手摺パイプ２２の一端部を一方のブラケット１１の支持腕１４の手摺パイプ取付穴１６に挿入する。そして、図９の（ｂ）に示されるように、手摺パイプ２２の一端部を手摺パイプ取付穴１６から延出させる。
つぎに、ブラケット本体１２に装着された固定金１９を他方の固定金挿通用開口２４に挿通し、同様にして、他方のブラケット１１を側壁３に取り付ける。
【００２３】
ついで、一方のブラケット１１の支持腕１４の手摺パイプ取付穴１６に挿入されている手摺パイプ２２を他方のブラケット１１側に移動させ、係止ピン２３をガイド穴１７内に通しつつ、手摺パイプ２２の他端部を他方のブラケット１１の支持腕１４の手摺パイプ取付穴１６に挿入する。そして、図９の（ｃ）に矢印で示される方向に、係止ピン２３を係止溝１８の一端に位置させ、手摺パイプ２２を回す。これにより、手摺パイプ２２の両端部の係止ピン２３が、それぞれ係止溝１８の一端から係止溝１８内に入り、係止溝１８内を他端側に移動する。このとき、係止溝１８の溝幅が他端側に向って漸次狭くなっているので、係止ピン２３が手摺パイプ２２の回動力により係止溝１８に圧入・固定され、手摺パイプ２２が一対のブラケット１１に保持され、手摺装置１０が側壁３に取り付けられる。
【００２４】
この実施の形態１によれば、固定金１９を側壁３に形成された固定金挿通用開口２４に挿通し、固定金１９を雄ねじ部２１の軸周りに回転させて固定金１９の四隅を固定金挿通用開口２４の外側に位置させ、側壁３を取付座１３と固定金１９との間に挟持させて、固定金１９の表面に立設された雄ねじ部２１と取付座１３に形成された雌ねじ部１５とを緊締して、ブラケット１１を側壁に取り付けている。そこで、ブラケット１１を側壁３に取り付けるための取付ビスが不要となる。その結果、取付ビスが見えることによる意匠性の低下を抑え、さらにいたずらによるビス外しを防止するためのカバーが不要となり、ブラケット１１の構造を簡素化でき、かつ部品点数が削減され、低コスト化が図られる。さらに、ドライバーによる締着作業が不要となり、取付作業性が向上される。
【００２５】
また、突起２０が固定金１９の表面の四隅に突設され、位置決め用開口２５が固定金挿通用開口２４の各辺の外側に突起２０が嵌入可能に側壁３に形成されている。そこで、突起２０を位置決め用開口２５に嵌入させることで、固定金１９が位置決めされるとともに、固定金１９の回動が阻止される。その結果、ブラケット１１の取付位置精度が高められるととともに、雌ねじ部１５と雄ねじ部２１との締着力を大きくでき、ブラケット１１の取付強度が高められる。
また、取付座１３は固定金挿通用開口２４および位置決め用開口２５を覆い隠す外形形状に形成されているので、ブラケット１１を取り付けた際に、固定金挿通用開口２４および位置決め用開口２５が見えなくなり、カバーを用いることなく、意匠性の低下を抑えることができる。
【００２６】
また、係止ピン２３が手摺パイプ２２の端部の周壁に突設され、手摺パイプ２２の端部を手摺パイプ取付穴１６に挿入する際に、係止ピン２３を案内するガイド穴１７が手摺パイプ取付穴１６に開口して手摺パイプ取付穴１６の穴方向に支持腕１４を貫通して形成され、係止溝１８が手摺パイプ取付穴１６に開口してガイド穴１７から手摺パイプ取付穴１６の周方向に所定角度範囲に渡って先細り形状に延設されている。そこで、係止ピン２３がガイド穴１７内を通って係止溝１８の位置に至るまで手摺パイプ２２の端部を手摺パイプ取付穴１６に挿入し、手摺パイプ２２を軸周りに回動させることで、係止ピン２３が係止溝１８に圧入、固定される。その結果、手摺パイプ２２の支持腕１４への固定するための取付ビスが不要となり、取付ビスを隠すカバーを設ける必要がなく、低コスト化が図られるとともに、ドライバーによる締着作業も不要となり、手摺パイプ２２の取付作業性が向上される。
【００２７】
なお、上記実施の形態１では、雄ねじ部２１が固定金１９の表面に立設され、雌ねじ部１５が取付座１３に形成されているものとしているが、雄ねじ部が取付座の裏面に立設され、雌ねじ部が固定金に形成されてもよい。
また、上記実施の形態１では、突起２０が固定金１９の表面の四隅に形成されているものとしているが、突起２０は固定金１９の表面の四隅の全てに形成する必要はなく、固定金１９の表面の四隅うちの少なくとも２つに形成されていればよい。
【００２８】
実施の形態２．
図１０はこの発明の実施の形態２に係るエレベータの手摺装置における固定金と固定金挿通用開口との関係を説明する平面図であり、図１０の（ａ）は第１の状態を示し、図１０の（ｂ）は第２の状態を示している。
【００２９】
図１０において、穴形状を長方形とする固定金挿通用開口３０が、側壁３に形成され、穴形状を円形とする位置決め用開口３１が、固定金挿通用開口３０の長辺中央の外側に形成されている。固定金３２は、平面形状を固定金挿通用開口３０の穴形状より小形の長方形とする所定厚みを有する平板状に作製されている。そして、雄ねじ部２１が固定金３２の表面の中央に立設され、位置決め用突起としての突起３３が固定金３２の表面の長さ方向の両端部に平面形状を円形として所定高さに突設され、位置決め用開口３１に嵌入可能に配設されている。また、取付座は、図示していないが、固定金３２が第２の状態にあるときに、固定金挿通用開口３０と位置決め用開口３１を覆い隠す外形形状に形成されている。
なお、他の構成は上記実施の形態１と同様に構成されている。
【００３０】
このように構成されたブラケット本体では、第１の状態では、図１０の（ａ）に示されるように、固定金３２の全領域が固定金挿通用開口３０内に位置する。また、固定金３２を第１の状態から雄ねじ部２１の軸周りに９０°回動させた第２の状態では、図１０の（ｂ）に示されるように、固定金３２の長さ方向の両端部が固定金挿通用開口３０の外側に位置し、突起３３が位置決め用開口３１に嵌入可能となっている。
【００３１】
そこで、この実施の形態２においても、固定金３２を固定金挿通用開口３０内に挿入し、固定金３２を回動させて第２の状態とし、突起３３を位置決め用開口３１内に嵌入し、側壁３を取付座と固定金３２との間に挟持させて、固定金３２の表面に立設された雄ねじ部２１と取付座に形成された雌ねじ部とを緊締して、ブラケットを側壁３に取り付けることができる。そして、固定金挿通用開口３０と位置決め用開口３１が取付座により覆い隠され、利用者に見えないようになっている。
したがって、この実施の形態２においても、上記実施の形態１と同様の効果が得られる。
【００３２】
実施の形態３．
図１１はこの発明の実施の形態３に係るエレベータの手摺装置における固定金と固定金挿通用開口との関係を説明する平面図であり、図１１の（ａ）は第１の状態を示し、図１１の（ｂ）は第２の状態を示している。
【００３３】
図１１において、穴形状を正三角形とする固定金挿通用開口３５が、側壁３に形成され、穴形状を正三角形とする位置決め用開口３６が、固定金挿通用開口３５の各辺中央の外側に形成されている。固定金３７は、平面形状を固定金挿通用開口３５の穴形状より小形の正三角形とする所定厚みを有する平板状に作製されている。そして、雄ねじ部２１が固定金３７の表面の中央に立設され、位置決め用突起としての突起３８が固定金３７の表面の各角部に平面形状を正三角形として所定高に突設され、位置決め用開口３６に嵌入可能に配設されている。また、取付座は、図示していないが、固定金３７が第２の状態にあるときに、固定金挿通用開口３５と位置決め用開口３６を覆い隠す外形形状に形成されている。
なお、他の構成は上記実施の形態１と同様に構成されている。
【００３４】
このように構成されたブラケット本体では、第１の状態では、図１１の（ａ）に示されるように、固定金３７の全領域が固定金挿通用開口３５内に位置する。また、固定金３７を第１の状態から雄ねじ部２１の軸周りに６０°回動させた第２の状態では、図１１の（ｂ）に示されるように、固定金３７の角部が固定金挿通用開口３５の外側に位置し、突起３８が位置決め用開口３６に嵌入可能となっている。
【００３５】
そこで、この実施の形態３においても、固定金３７を固定金挿通用開口３５内に挿入し、固定金３７を回動させて第２の状態とし、突起３８を位置決め用開口３６内に嵌入し、側壁３を取付座１３と固定金３７との間に挟持させて、固定金３７の表面に立設された雄ねじ部２１と取付座に形成された雌ねじ部とを緊締して、ブラケット本体を側壁３に取り付けることができる。そして、固定金挿通用開口３５と位置決め用開口３６が取付座により覆い隠され、利用者に見えないようになっている。
したがって、この実施の形態３においても、上記実施の形態１と同様の効果が得られる。
【００３６】
実施の形態４．
図１２はこの発明の実施の形態４に係るエレベータのかご室の壁面に取り付けられたブラケットへの手摺パイプの取付方法を示す工程斜視図である。
【００３７】
図１２において、係止穴４０が、穴方向を手摺パイプ取付穴１６の径方向として、手摺パイプ取付穴１６と外部とを連通するようにブラケット本体１２Ａの支持腕１４に形成されている。係止ピン４１が、手摺パイプ２２の両端側に径方向に出没可能に配設され、バネ部材としての押圧バネ４２が、係止ピン４１を延出させる方向に付勢するように手摺パイプ２２内に配設されている。ここで、係止穴４０、係止ピン４１および押圧バネ４２が固定手段を構成する。
なお、他の構成は上記実施の形態１と同様に構成されている。
【００３８】
この実施の形態４では、上記実施の形態１と同様に、側壁３を取付座１３と固定金１９とに挟持した状態で、雄ねじ部２１と雌ねじ部１５とを緊締して、一方のブラケット本体１２Ａを側壁３に取り付ける。
【００３９】
そして、図１２の（ａ）に示されるように、手摺パイプ２２の一端部を手摺パイプ取付穴１６に同軸に位置合わせする。ついで、係止ピン４１を埋没させて、手摺パイプ２２の一端部を手摺パイプ取付穴１６に挿入し、手摺パイプ２２の一端部が手摺パイプ取付穴１６から延出させる。このとき、図１２の（ｂ）に示されるように、係止ピン４１の頭部が押圧バネ４２の付勢力により手摺パイプ取付穴１６の内壁面に押圧されならが、手摺パイプ２２の一端部が手摺パイプ取付穴１６に挿通される。
つぎに、他方のブラケット本体１２Ａを、先に取り付けた一方のブラケット本体１２Ａから所定距離離して、同様にして側壁３に取り付ける。
【００４０】
ついで、一方のブラケット本体１２Ａの支持腕１４の手摺パイプ取付穴１６に挿入されている手摺パイプ２２を他方のブラケット本体１２Ａ側に移動させ、係止ピン４１を埋没させて手摺パイプ２２の他端部を他方のブラケット本体１２Ａの支持腕１４の手摺パイプ取付穴１６に挿入する。そして、図１２の（ｃ）に示される方向に、手摺パイプ２２を回す。これにより、手摺パイプ２２の両端部の係止ピン４１が、それぞれ押圧バネ４２の付勢力により係止穴４０内に延出し、手摺パイプ２２が一対のブラケット本体１２Ａに保持され、手摺装置が側壁３に取り付けられる。
【００４１】
この実施の形態４では、係止ピン４１を埋没させた状態で手摺パイプ２２の端部を手摺パイプ取付穴１６に挿入し、手摺パイプ２２を軸周りに回動させることで、係止ピン４１が押圧バネ４２の付勢力により係止穴４０内に延出され、手摺パイプ２２の軸周りの回動および軸方向の移動が阻止される。
そこで、この実施の形態４においても、手摺パイプ２２の支持腕１４への固定するための取付ビスが不要となり、取付ビスを隠すカバーを設ける必要がなく、低コスト化が図られるとともに、ドライバーによる締着作業も不要となり、手摺パイプ２２の取付作業性が向上される。
【００４２】
なお、上記各実施の形態では、手摺本体として所定長さの手摺パイプを用いるものとしているが、手摺本体は中空である必要はなく、中実の棒状体であってもよい。
【符号の説明】
【００４３】
１  かご室、３  側壁、１０  手摺装置、１１  ブラケット、１２，１２Ａ  ブラケット本体、１３  取付座、１４  支持腕、１５  雌ねじ部、１６  手摺パイプ取付穴（手摺本体取付穴、固定手段）、１７  ガイド穴（固定手段）、１８  係止溝（固定手段）、１９  固定金、２０  突起（位置決め用突起）、２１  雄ねじ部、２２  手摺パイプ（手摺り本体）、２３  係止ピン（固定手段）、２４  固定金挿通用開口、２５  位置決め用開口、３０  固定金挿通用開口、３１  位置決め用開口、３２  固定金、３３  突起（位置決め用突起）、３５  固定金挿通用開口、３６  位置決め用開口、３７  固定金、３８  突起（位置決め用突起）、４０  係止穴（固定手段）、４１  係止ピン（固定手段）、４２  押圧バネ（バネ部材、固定手段）。
【図１】
2013010597.tif 000003
【図２】
2013010597.tif 000004
【図３】
2013010597.tif 000005
【図４】
2013010597.tif 000006
【図５】
2013010597.tif 000007
【図６】
2013010597.tif 000008
【図７】
2013010597.tif 000009
【図８】
2013010597.tif 000010
【図９】
2013010597.tif 000011
【図１０】
2013010597.tif 000012
【図１１】
2013010597.tif 000013
【図１２】
2013010597.tif 000014